(57)【要約】      （修正有）【課題】既成のザックに対して、そのままの状態で着脱でき、しかもザックに対する着脱をより少ない手間で迅速に行えるザック用の折りたたみ椅子を提供する。【解決手段】連結軸１０を介してＸ字状に組まれた第１椅子フレーム１１および第２椅子フレーム１２と、着座シート１３を備えている。第１椅子フレーム１１の左右枠部２３の上部に、第１連結体３８を設ける。第２椅子フレーム１２の左右枠部２９の下部に、第２連結体３９とを設ける。第１連結体３８は、ストラップ支持体４１と、同支持体４１に着脱されるカラビナ４２とからなる。第２連結体３９は、一対のカラビナ４７からなる。上部ストラップ３ａの内側において、ストラップ支持体４１とカラビナを連結し、一対のカラビナ４７のそれぞれを下部ストラップ３ｂに連結して、折りたたみ椅子をザック本体２と一体化する。【選択図】図１
0003164949.tif 000002
【実用新案登録請求の範囲】
【請求項１】
連結軸（１０）を介してＸ字状に組まれた第１椅子フレーム（１１）および第２椅子フレーム（１２）と、両椅子フレーム（１１・１２）の上枠部（２０・２６）間に設けられる着座シート（１３）とを備えており、
第１椅子フレーム（１１）の左右枠部（２２・２３）の上部と、第２椅子フレーム（１２）の左右枠部（２８・２９）の下部のそれぞれに、ザック（１）のショルダーストラップ（３）に連結される第１連結体（３８）と第２連結体（３９）とが設けられており、
第１連結体（３８）は、第１椅子フレーム（１１）の左右枠部（２２・２３）のいずれか一方に連結されるストラップ支持体（４１）と、他方に連結されてストラップ支持体（４１）に対して着脱できる第１連結具（４２）とを含み、
第２連結体（３９）は、第２椅子フレーム（１２）の左右枠部（２８・２９）の下部に連結した一対の第２連結具（４７）を含み、
ショルダーストラップ（３）の上部ストラップ（３ａ）の内側において、ストラップ支持体（４１）と第１連結具（４２）を連結し、一対の第２連結具（４７）のそれぞれをショルダーストラップ（３）の下部ストラップ（３ｂ）に連結することにより、ザック本体（２）と一体化することを特徴とするザック用の折りたたみ椅子。
【請求項２】
着座シート（１３）の前部に係止ベルト（３４）が設けられており、
第１椅子フレーム（１１）の上枠部（２０）に連結した着座シート（１３）の左右中央に、ザック本体（２）に設けた手提げストラップ（４）、および係止ベルト（３４）の出入りを許すシート窓（３３）が開口されており、
手提げストラップ（４）の内面に通した状態の係止ベルト（３４）を、シート窓（３３）に臨む第１椅子フレーム（１１）の上枠部（２０）に巻き掛けて止め付けることにより、手提げストラップ（４）の屈曲部分を係止ベルト（３４）で受け止め支持する請求項１に記載のザック用の折りたたみ椅子。
【請求項３】
第１椅子フレーム（１１）および第２椅子フレーム（１２）のそれぞれが、互いに嵌合連結される、アルミニウム管材で形成される下フレーム（１４・１５）と、下フレーム（１４・１５）より小径のアルミニウム管材で形成される上フレーム（１６・１７）とで構成されており、
下フレーム（１４・１５）の下枠部（２１・２７）の左右幅が、上フレーム（１６・１７）の上枠部（２０・２６）の左右幅より大きく設定してある請求項１または２に記載のザック用の折りたたみ椅子。
【請求項４】
第１椅子フレーム（１１）と第２椅子フレーム（１２）を開いて接地した状態において、第２椅子フレーム（１２）の上枠部（２６）を第１椅子フレーム（１１）の上枠部（２０）より上方に位置させて、着座シート（１３）がザック本体（２）へ向かって下り傾斜させてある請求項１から３のいずれかひとつに記載のザック用の折りたたみ椅子。
【請求項５】
第１椅子フレーム（１１）と第２椅子フレーム（１２）を閉じた状態において、両椅子フレーム（１１・１２）が開くのを規制するフレーム止め具（５１）が両椅子フレーム（１１・１２）の間に設けてある請求項１から４のいずれかひとつに記載のザック用の折りたたみ椅子。
【請求項６】
ベルトで構成されるストラップ支持体（４１）と、第１連結具（４２）と、第２連結具（４７）のそれぞれの基端部分が、第１椅子フレーム（１１）および第２椅子フレーム（１２）に対して連結紐（４０）で連結されており、
第１連結具（４２）および第２連結具（４７）がカラビナで構成してある請求項１から５のいずれかひとつに記載のザック用の折りたたみ椅子。
【請求項７】
第１椅子フレーム（１１）と第２椅子フレーム（１２）の下枠部（２１・２７）のそれぞれが、ザック本体（２）の側へ向かって凹弧状に凹ませてある請求項１から６のいずれかひとつに記載のザック用の折りたたみ椅子。
【請求項８】
第１椅子フレーム（１１）の上フレーム（１６）の全長が、第２椅子フレーム（１２）の上フレーム（１７）の全長より小さく設定されており、
第２椅子フレーム（１２）の下フレーム（１５）の下部が、ザック本体（２）の側へ向かってく字状に折り曲げられてある請求項３から７のいずれかひとつに記載のザック用の折りたたみ椅子。
【請求項９】
フレーム止め具（５１）が、第１椅子フレーム（１１）の左右枠部（２２・２３）の少なくともいずれかひとつと弾性係合する断面Ｃ字状の第１弾性腕（５２）と、第２椅子フレーム（１２）の左右枠部（２８・２９）の少なくともいずれか一方と弾性係合する断面Ｃ字状の第２弾性腕（５３）と、両弾性腕（５２・５３）の間に設けられる腕基部（５４）とで３字状に構成されており、
第１椅子フレーム（１１）と第２椅子フレーム（１２）とが、腕基部（５４）の占める隙間（Ｅ）を確保する接合座（５５）を介して連結軸（１０）で連結してある請求項７または８に記載のザック用の折りたたみ椅子。
【考案の詳細な説明】
【技術分野】
【０００１】
本考案は、市販されている既成のザックに対して簡便に着脱することができるザック用の折りたたみ椅子に関する。
【背景技術】
【０００２】
本考案のザック用の折りたたみ椅子に関して、折りたたみ椅子を一体に備えたザックが特許文献１に公知である。そこでは、ザック本体の背面側にＸ字状に組まれた折りたたみ椅子を一体に組付けている。ザック本体を背中から降ろしたのち、第１、第２の椅子フレームを開脚することにより、両椅子フレーム間に張り渡した着座シートに座ることができる。
【０００３】
特許文献１のザックにおいては、折りたたみ椅子をザック本体と一体化するために、折りたたみ椅子の第１椅子フレームの上部に桟体を設け、この桟体にザック本体の背面上部に設けた止め具を止め付けている。また、第１椅子フレームの下部にコ字状の金具を固定して、これにショルダーストラップの下部ストラップを挿通している。さらに、ザック本体の背面下部に面ファスナーを備えた支持ベルトを設けておき、第２椅子フレームの下部を支持ベルトでザック本体の背面下部に抱持固定している。なお、折りたたみ椅子を閉じた状態においては、椅子フレームの下端がザック本体の下面より下方に突出している。特許文献２にも同じ構造の背負子が開示されている。
【０００４】
特許文献３には、折りたたみ椅子を一体に備えたマルチバッグが開示されており、そこでは、ザック本体の背面の上部と下部、およびショルダーストラップの下部のそれぞれに連結用のリングを設けている。また、第１椅子フレームの上部と第２椅子フレームの下部にリング状の金具を固定し、第２椅子フレームの脚部に上下に移動できる連結用のリングを設けている。各リングを連結することにより、折りたたみ椅子をザック本体に連結できる。
【先行技術文献】
【特許文献】
【０００５】
【特許文献１】実開平０７−０２４１２１号公報（段落番号００１８〜００２２、図１）
【特許文献２】実開昭６１−１７０３２８号公報（第４頁１４行〜５頁１７行、第１図）
【特許文献３】実開平０１−１７０１２６号公報（第４頁１１行〜第５頁１９行、第２図、第３図）
【考案の概要】
【考案が解決しようとする課題】
【０００６】
特許文献１のザックによれば、折りたたみ椅子をザック本体に着脱することにより、ザック本体を単独で使用し、あるいは折りたたみ椅子をザック本体に連結した状態で使用できる。しかし、折りたたみ椅子をザック本体に連結するには、ザック本体の背面上部に止め具を設け、さらに、ザック本体の背面下部に支持ベルトを設けておく必要があり、止め具や支持ベルトを備えていない既成のザックに適用できない点に問題がある。止め具や支持ベルトなどの連結用のパーツをザック本体に追加することは不可能ではないが、そのためには止め具や支持ベルトなどの連結用のパーツをザック本体に対して確りと固定する必要があり、個人でこの種の加工を行うことに限界がある。
【０００７】
また、折りたたみ椅子をザック本体に装着する場合には、桟体に止め具を止め付け、コ字状の金具に下部ストラップを挿通し、第２椅子フレームの下部を支持ベルトで抱持固定する必要があるため、一連の取付け作業に手間が掛かる。折りたたみ椅子をザック本体から取り外す場合にも同等の手間が掛かる。また、ザックを背中へ担ぐとき、あるいは担いでいたザックを背中から降ろすとき、折りたたみ椅子が開いて身体のバランスを崩すおそれがあり、安全性に問題がある。特許文献２の背負子、および特許文献３のマルチバッグにも同様の問題点がある。
【０００８】
本考案の目的は、市販されている既成のザックに対して、そのままの状態で着脱でき、しかもザックに対する着脱をより少ない手間で迅速に行えるザック用の折りたたみ椅子を提供することにある。
本考案の目的は、折りたたみ椅子を軽量化しながら構造を最適化でき、したがってザックを担いだ状態における重量負荷を軽減しながら、大きな体重にも耐えることができる堅牢なザック用の折りたたみ椅子を提供することにある。
本考案の目的は、ザックを背中へ担ぐときや、担いでいたザックを背中から降ろすとき、折りたたみ椅子が開脚するのを確実に防止でき、したがってザックの担ぎ上げや担ぎ降ろしを安全に行えるザック用の折りたたみ椅子を提供することにある。
【課題を解決するための手段】
【０００９】
本考案に係るザック用の折りたたみ椅子は、連結軸１０を介してＸ字状に組まれた第１椅子フレーム１１および第２椅子フレーム１２と、両椅子フレーム１１・１２の上枠部２０・２６間に設けられる着座シート１３とを備えている。第１椅子フレーム１１の左右枠部２２・２３の上部と、第２椅子フレーム１２の左右枠部２８・２９の下部のそれぞれに、ザック１のショルダーストラップ３に連結される第１連結体３８と第２連結体３９とを設ける。図２に示すように、第１連結体３８は、第１椅子フレーム１１の左右枠部２２・２３のいずれか一方に連結されるストラップ支持体４１と、他方に連結されてストラップ支持体４１に対して着脱できる第１連結具４２とを含む。第２連結体３９は、第２椅子フレーム１２の左右枠部２８・２９の下部に連結した一対の第２連結具４７を含む。ショルダーストラップ３の上部ストラップ３ａの内側において、ストラップ支持体４１と第１連結具４２を連結し、一対の第２連結具４７のそれぞれをショルダーストラップ３の下部ストラップ３ｂに連結することにより、折りたたみ椅子をザック本体２と一体化することを特徴とする。
【００１０】
着座シート１３の前部に係止ベルト３４を設ける。第１椅子フレーム１１の上枠部２０に連結した着座シート１３の左右中央に、ザック本体２に設けた手提げストラップ４、および係止ベルト３４の出入りを許すシート窓３３を開口する。図８に示すように、手提げストラップ４の内面に通した状態の係止ベルト３４を、シート窓３３に臨む第１椅子フレーム１１の上枠部２０に巻き掛けて止め付ける。これにより、手提げストラップ４の屈曲部分を係止ベルト３４で受け止め支持する（図９参照）。
【００１１】
第１椅子フレーム１１および第２椅子フレーム１２のそれぞれを、互いに嵌合連結される、アルミニウム管材で形成される下フレーム１４・１５と、下フレーム１４・１５より小径のアルミニウム管材で形成される上フレーム１６・１７とで構成する。図３に示すように下フレーム１４・１５の下枠部２１・２７の左右幅を、上フレーム１６・１７の上枠部２０・２６の左右幅より大きく設定する。
【００１２】
図１に示すように、第１椅子フレーム１１と第２椅子フレーム１２を開いて接地した状態において、第２椅子フレーム１２の上枠部２６を第１椅子フレーム１１の上枠部２０より上方に位置させる。これにより、着座シート１３をザック本体２へ向かって下り傾斜させる。
【００１３】
第１椅子フレーム１１と第２椅子フレーム１２を閉じた状態において、両椅子フレーム１１・１２が開くのを規制するフレーム止め具５１を両椅子フレーム１１・１２の間に設ける（図７参照）。
【００１４】
ベルトで構成されるストラップ支持体４１と、第１連結具４２と、第２連結具４７のそれぞれの基端部分を、第１椅子フレーム１１および第２椅子フレーム１２に対して連結紐４０で連結する。第１連結具４２および第２連結具４７はカラビナで構成する（図３参照）。
【００１５】
図１０、図１１に示すように、第１椅子フレーム１１と第２椅子フレーム１２の下枠部２１・２７のそれぞれを、ザック本体２の側へ向かって凹弧状に凹ませる。
【００１６】
図３に示すように第１椅子フレーム１１の上フレーム１６の全長を、第２椅子フレーム１２の上フレーム１７の全長より小さく設定する。第２椅子フレーム１２の下フレーム１５の下部を、ザック本体２の側へ向かってく字状に折り曲げる（図１０参照）。
【００１７】
フレーム止め具５１は、第１椅子フレーム１１の左右枠部２２・２３の少なくともいずれか一方と弾性係合する断面Ｃ字状の第１弾性腕５２と、第２椅子フレーム１２の左右枠部２８・２９の少なくともいずれか一方と弾性係合する断面Ｃ字状の第２弾性腕５３と、両弾性腕５２・５３の間に設けられる腕基部５４とで３字状に構成する。第１椅子フレーム１１と第２椅子フレーム１２とは、腕基部５４の占める隙間Ｅを確保する接合座５５を介して連結軸１０で連結する（図６参照）。
【考案の効果】
【００１８】
本考案においては、折りたたみ椅子に第１連結体３８と第２連結体３９を設け、これらの連結体３８・３９をザック１のショルダーストラップ３に連結して、折りたたみ椅子をザック本体２と一体化するようにした。詳しくは、ストラップ支持体４１と、ストラップ支持体４１に着脱される第１連結具４２とで第１連結体３８を構成し、上部ストラップ３ａの内側においてストラップ支持体４１と第１連結具４２を連結するようにした。さらに、左右一対の第２連結具４７で第２連結体３９を構成し、これらの第２連結具４７のそれぞれをショルダーストラップ３の下部ストラップ３ｂに連結するようにした。
【００１９】
上記のように、第１連結体３８と第２連結体３９を、ザック１に必ず設けてあるショルダーストラップ３に連結して、折りたたみ椅子をザック本体２と一体化すると、市販されている既成のザックに対してなんら手を加える必要もなく、そのままの状態で折りたたみ椅子を着脱できる。したがって、本考案に係るザック用の折りたたみ椅子を入手するだけで、誰もが既存のザック本体２に折りたたみ椅子を組付けた状態で携行でき、しかも、折りたたみ椅子を備えた特殊な構造のザックを購入する場合に比べて、入手費用が少なくて済む。また、第１連結具４２をストラップ支持体４１に対して着脱し、あるいは第２連結具４７を下部ストラップ３ｂに対して着脱するだけで、折りたたみ椅子をザック本体２に対して簡便に着脱できるので、たとえば携行する装備の変更等に伴う折りたたみ椅子の着脱を、より少ない手間で迅速に行うことができる。
【００２０】
着座シート１３の前部に係止ベルト３４を設け、これをシート窓３３に臨む第１椅子フレーム１１の上枠部２０に止め付けて、手提げストラップ４の屈曲部分を係止ベルト３４で受け止め支持すると、折りたたみ椅子をザック本体２に対してさらに確実に一体化できる。先に説明した連結構造では、左右の上部ストラップ３ａを第１連結体３８で支持し、左右の下部ストラップ３ｂに第２連結体３９を連結する４点支持構造となるが、この支持構造に加えて、手提げストラップ４を係止ベルト３４で支持して５点支持構造にできるからである。また、着座シート１３に設けた係止ベルト３４で手提げストラップ４を支持することにより、折りたたみ椅子とザック本体２とが上下に大きくずれ動くのを規制して、ザック本体２および折りたたみ椅子を安定した状態で担ぐことができる。
【００２１】
第１、第２の両椅子フレーム１１・１２のそれぞれを、互いに嵌合連結される、下フレーム１４・１５と、これより小径のアルミニウム管材で形成される上フレーム１６・１７とで構成すると、折りたたみ椅子を軽量化しながら、その構造を最適化できる。したがって、ザック１を担いだ状態における折りたたみ椅子の重量負荷を軽減できるうえ、材料の無駄を省いて折りたたみ椅子の全体コストを削減できる。また、下フレーム１４・１５の下枠部２１・２７の左右幅を、上フレーム１６・１７の上枠部２０・２６の左右幅より大きく設定すると、下枠部２１・２７の接地幅を大きくできる。これにより、折りたたみ椅子に着座した使用者の体重をより安定した状態で支えて、ザック用の折りたたみ椅子の安定性を向上でき、併せて堅牢性を向上できる。
【００２２】
両椅子フレーム１１・１２を開いて接地した状態において、着座シート１３をザック本体２へ向かって下り傾斜させると、臀部が第２椅子フレーム１２の上枠部２６から後方へずれ落ちるのをよく防止して、安定した状態で着座状態を維持できる。
【００２３】
両椅子フレーム１１・１２の間に設けたフレーム止め具５１で、両椅子フレーム１１・１２が開くのを規制する折りたたみ椅子によれば、ザック１を背中へ担ぐときや、担いでいたザック１を背中から降ろすとき、折りたたみ椅子が開脚するのを確実に防止できる。したがって、折りたたみ椅子が開脚して体のバランスを崩すのを解消して、ザック１の担ぎ上げや担ぎ降ろしを安全に行うことができる。
【００２４】
ストラップ支持体４１と、第１、第２の連結具４２・４７のそれぞれを、両椅子フレーム１１・１２に対して連結紐４０で連結すると、連結紐４０が屈曲することで、各連結具４２・４７およびストラップ支持体４１の姿勢を全方位方向へ自由に変更できる。したがって、第１連結具４２とストラップ支持体４１の着脱や、第２連結具４７と下部ストラップ３ｂの着脱を簡便にしかも迅速に行える。さらに、第１連結具４２および第２連結具４７をカラビナで構成することにより、先の着脱操作をワンタッチで行って、折りたたみ椅子の着脱の手間をさらに軽減できる。
【００２５】
両椅子フレーム１１・１２の下枠部２１・２７のそれぞれを、ザック本体２側へ向かって凹弧状に凹ませると、ザック１を背中に担いだ状態において、下枠部２１の全体を腰に沿って接触させて、下枠部２１と腰との接触面積を大きくできる。これにより、長時間にわたってザック１を担ぐとき、下枠部２１の一部のみが腰に当たって痛みや腫れの原因となるのを解消できる。
【００２６】
第１椅子フレーム１１の上フレーム１６の全長を、第２椅子フレーム１２の上フレーム１７の全長より小さく設定すると、両椅子フレーム１１・１２を閉じた状態において、第１椅子フレーム１１の上枠部２０側を第２椅子フレーム１２の外郭線の内部に収容できる。さらに、第２椅子フレーム１２の下フレーム１５の下部を、ザック本体２の側へ向かってく字状に折り曲げると、第２椅子フレーム１２の下枠部２７を、第１椅子フレーム１１の下枠部２１の周面に密着させて、椅子全体をコンパクトに折りたたむことができる。したがって、折りたたみ椅子が装着された状態のザック１の取り扱いを軽快に行なうことができる。
【００２７】
それぞれ断面Ｃ字状に形成される第１弾性腕５２および第２弾性腕５３と、両弾性腕５２・５３の間に設けられる腕基部５４とで構成したフレーム止め具５１によれば、各弾性腕５２・５３を圧嵌操作するだけで、たとえば左右枠部２２・２３に装着できる。また、各弾性腕５２・５３の遊端部分を押し引き操作するだけで、たとえば左右枠部２２・２３から分離でき、全体として、フレーム止め具５１による両椅子フレーム１１・１２の開脚規制と、規制解除とをワンタッチで簡便に行える。両椅子フレーム１１・１２を、腕基部５４の占める隙間Ｅを確保する接合座５５を介して連結軸１０で連結することにより、開脚規制状態において、たとえば隣接する左枠部２２・２８の間に腕基部５４を支障なく収容できる。また、たとえば一方の弾性腕５３を左枠部２８から取り外した状態において、他方の弾性腕５２の左枠部２２に対する装着状態を、同腕５２と腕基部５４との協同作用で維持できるので、開脚状態においてフレーム止め具５１が脱落するのをよく防止できる。
【図面の簡単な説明】
【００２８】
【図１】本考案に係る折りたたみ椅子を開脚した状態の側面図である。
【図２】図１におけるＡ−Ａ線断面図である。
【図３】本考案に係る折りたたみ椅子を閉脚した状態の正面図である。
【図４】図３におけるＢ−Ｂ線断面図である。
【図５】本考案に係る折りたたみ椅子を閉脚した状態の側面図である。
【図６】図４におけるＣ−Ｃ線断面図である。
【図７】図３におけるＤ−Ｄ線断面図である。
【図８】手提げストラップの連結状況を示す縦断側面図である。
【図９】折りたたみ椅子をザック本体に連結した状態の平面図である。
【図１０】図３におけるＦ−Ｆ線断面図である。
【図１１】図３におけるＧ−Ｇ線断面図である。
【考案を実施するための形態】
【００２９】
（実施例）  図１ないし図１１は本考案に係るザック用の折りたたみ椅子の実施例を示す。本考案における前後・左右・上下とは、図１および図２に示す交差矢印と、矢印の近傍に表示した前後・左右・上下の表記に従う。図２において符号１はザックであり、ザック１は、ザック本体２と、ザック本体２の背面に設けられる左右一対のショルダーストラップ３と、ショルダーストラップ３とともにザック本体２に縫着してある手提げストラップ４などを備えている。ショルダーストラップ３は、肩パッドを含む上部ストラップ３ａと、上部ストラップ３ａに対して長さ調整用のバックル５を介して連結してある下部ストラップ３ｂとからなる。なお、ザック本体２は携行すべき物品を収容できるものであればよく、その構造の違いは本考案の内容と無関係であるので、ザック本体２の構造の説明は省略する。
【００３０】
図１において折りたたみ椅子は、連結軸１０を介してＸ字状に組まれた第１椅子フレーム１１および第２椅子フレーム１２と、両椅子フレーム１１・１２の上枠部２０・２６間に設けられる着座シート１３などで構成する。第１椅子フレーム１１および第２椅子フレーム１２は、それぞれアルミニウム管材で形成される下フレーム１４・１５と、下フレーム１４・１５より小径のアルミニウム管材で形成される上フレーム１６・１７とで四角枠状に構成する。より詳しくは、図３に示すように、コ字枠状に折り曲げた上フレーム１６・１７の下端を、コ字枠状に折り曲げた下フレーム１４・１５の上端開口に差込み、両者１６・１７・１４・１５の嵌合部分を連結軸１０で連結して、第１、第２の椅子フレーム１１・１２を四角枠状に構成している。このように、下フレーム１４・１５と上フレーム１６・１７との嵌合部分を連結軸１０で連結で連結することにより、両フレーム１４〜１７の連結軸１０用の軸受穴の構造強度を十分なものとして、折りたたみ椅子の耐久性を向上できる。
【００３１】
第１椅子フレーム１１は、上枠部２０と、下枠部２１と、左枠部２２と、右枠部２３とを備えており、各枠部２０〜２３の隣接部分は四分円状に丸めてある。同様に、第２椅子フレーム１２は、上枠部２６と、下枠部２７と、左枠部２８と、右枠部２９とを備えており、各枠部２６〜２９の隣接部分は四分円状に丸めてある。図２および図３に示すように、第１椅子フレーム１１の左右幅は、第２椅子フレーム１２の左右幅より僅かに小さく設定してある。また、各椅子フレーム１１・１２における下フレーム１４・１５の下枠部２１・２７の左右幅は、各椅子フレーム１１・１２における上フレーム１６・１７の上枠部２０・２６の左右幅より大きく設定してある。これにより、折りたたみ椅子を使用するときの下枠部２１・２７の接地幅を大きくして、安定した状態で使用者の体重を支えることができる。
【００３２】
図１に示すように、第１椅子フレーム１１と第２椅子フレーム１２を開いて接地した状態において、第２椅子フレーム１２の上枠部２０を第１椅子フレーム１２の上枠部２６より上方に位置させている。具体的には、第２椅子フレーム１２の上フレーム１７の上下長を、第１椅子フレーム１１の上フレーム１６の上下長より大きくしており、これにより、両椅子フレーム１１・１２を開いて接地した状態において、着座シート１３がザック本体２へ向かって下り傾斜できるようにしている。このように、着座シート１３をザック本体２へ向かって下り傾斜させると、ザック１が身体の前方に位置する状態で着座シート１３に座ることにより、臀部が第２椅子フレーム１２の上枠部２６から後方へずれ落ちるのをよく防止して、安定した状態で着座状態を維持できる。また、折りたたみ椅子が後傾しようとするのをザック１の重みで規制して、折りたたみ椅子の開脚姿勢を安定した状態で維持できる。
【００３３】
着座シート１３は、綿、麻系繊維、あるいは合成繊維などを形成素材とするキャンバス地からなり、その前端が第１椅子フレーム１１の上枠部２０に巻き掛けて縫着してあり、さらに、その後端が第２椅子フレーム１２の上枠部２６に巻き掛けて縫着してある。着座シート１３の下面の左右中央には、着座シート１３の展張方向の強度を補強する補強ベルト３２が縫着してある。前者上枠部２０に連結した着座シート１３の左右中央には、手提げストラップ４、および係止ベルト３４の出入りを許すシート窓３３が開口してある。図４に示すように、補強ベルト３２は前後に長いベルトからなり、その大半の部分がシート窓３３から着座シート１３の後部にわたって連続して縫着してあり、残る前側部分を係止ベルト３４として利用している。係止ベルト３４の端部寄りと、着座シート１３に縫着されたベルトの前寄り部分には、それぞれ面ファスナー３５の雄シートと雌シートが縫着してある。
【００３４】
上記のように構成した折りたたみ椅子をザック１に対して、より簡便に着脱するために、第１椅子フレーム１１の左右枠部２２・２３の上部に第１連結体３８を設け、第２椅子フレーム１２の左右枠部２８・２９の下部のそれぞれに第２連結体３９を設けている。図３に示すように、第１連結体３８は、第１椅子フレーム１１の右枠部２３に、連結紐４０を介して連結される支持ベルト（ストラップ支持体）４１と、左枠部２２に連結紐４０を介して連結されるカラビナ（第１連結具）４２とからなる。支持ベルト４１の長手方向の両端には、それぞれ鳩目リング４３・４４が固定してあり、支持ベルト４１の基端側の鳩目リング４３に先の連結紐４０が連結され、遊端側の鳩目リング４４にカラビナ４２が着脱される。カラビナ４２は市販品であって、アルミニウム製のリング本体４５と、リング本体４５のゲートを開閉し、図示していないばねで閉じ勝手に付勢される安全ピン４６とを備えている。この種のカラビナ４２は、他の連結具に比べて軽く、十分な強度を備えており、さらに低コストである点で連結具として好適である。連結紐４０はパラシュートコードで形成してある。
【００３５】
第２連結体３９は、上記のカラビナ４２と同じ市販品の、左右一対のカラビナ（第２連結具）４７からなり、カラビナ４７の基端部分を第２椅子フレーム１２の左右枠部２８・２９の下部に連結紐４０で連結する。カラビナ４７は、アルミニウム製のリング本体４８と、リング本体４５のゲートを開閉し、図示していないばねで閉じ勝手に付勢される安全ピン４９とを備えている。
【００３６】
図５に示すように、第１椅子フレーム１１と第２椅子フレームを閉じた状態において、両椅子フレーム１１・１２が開くのを規制するために、両椅子フレーム１１・１２の上フレーム１６・１７の間にフレーム止め具５１を設けている。図７に示すように、フレーム止め具５１は、断面Ｃ字状の第１弾性腕５２と、同じく断面Ｃ字状の第２弾性腕５３と、両弾性腕５２・５３の間に設けられる腕基部５４とを一体に備えたプラスチック成形品からなり、全体として３字状に構成してある。図７においては、第１椅子フレーム１１の左枠部２２と、第２椅子フレーム１２の左枠部２８とにフレーム止め具５１を圧嵌係合し、さらに第１椅子フレーム１１の右枠部２３と、第２椅子フレーム１２の右枠部２９とに別のフレーム止め具５１を圧嵌係合して、両椅子フレーム１１・１２の開脚を規制した。
【００３７】
第１弾性腕５２および第２弾性腕５３は、それぞれ左右枠部２２・２３・２８・２９に対して弾性変形した状態で密着している。この状態から、たとえば第１弾性腕５２の遊端を、左枠部２２から離れる向きへ押し込んで弾性変形させると、第１弾性腕５２の遊端が左枠部２２の周面の前後中央を乗り越えて後方へ移動するので、第１弾性腕５２を左枠部２２から分離できる。その場合でも第２弾性腕５３は他方の左枠部２８に係合しているので、フレーム止め具５１が第１椅子フレーム１１から脱落することはない（図９参照）。なお、第１弾性腕５２および第２弾性腕５３のそれぞれを分離操作した場合には、フレーム止め具５１を両椅子フレーム１１・１２から取り外すことができる。
【００３８】
上記のように、一方の弾性腕を分離した状態において、他方の弾性腕の装着状態を維持するために、両弾性腕５２・５３を腕基部５４を介して連続させるが、そうすると、腕基部５４が占める隙間Ｅ（図３参照）を、隣接する左右枠部２２・２８・２３・２９の間に確保する必要が生じる。この隙間Ｅを確保するために、図６に示すように、第１椅子フレーム１１と第２椅子フレーム１２を接合座５５を介して連結軸１０で連結している。接合座５５は、矩形状のプラスチック成形品からなり、その片面に第２椅子フレーム１２の下フレーム１５の周面に密着する凹弧面５６が凹み形成され、中央部分に連結軸１０用の挿通穴５７が形成してある。連結軸１０は一端に操作頭部を有し、軸端に雄ねじ６０が形成してあるビスを利用して形成してある。第２椅子フレーム１２のフレーム１５・１７と、接合座５５と、第１椅子フレーム１１のフレーム１４・１６に連結軸１０の軸部を挿通し、内側の下フレーム１４から突出する雄ねじ６０に袋ナット６１をねじ込むことにより、先の各部材が固定してある。
【００３９】
以上のよう構成した折りたたみ椅子は、以下の要領でザック本体２と一体化する。まず、図２に示すように、ショルダーストラップ３の上部ストラップ３ａの内側において、支持ベルト４１の遊端の鳩目リング４４に第１連結体３８のカラビナ４２を連結する。また、第２椅子フレーム１２の左右枠部２８・２９に設けた第２連結体３９のカラビナ４０のそれぞれを、ショルダーストラップ３の下部ストラップ３ｂに掛止する。さらに、図８に示すように、手提げストラップ４をシート窓３３から上方へ引っ張り出し、その内面に係止ベルト３４を通したのち、シート窓３３に臨む第１椅子フレーム１１の上枠部２０に巻き掛けて下向きに反転し、面ファスナー３５で着座シート１３の下面側に止め付ける。これにより、手提げストラップ４の輪奈部分を係止ベルト３４で受け止めて、手提げストラップ４をシート窓３３に位置保持できる。折りたたみ椅子をザック本体２に一体化し、さらに折りたたみ椅子を開脚した状態の平面図を図９に示している。
【００４０】
ザック本体２と一体化した折りたたみ椅子は、図１に示すように、第１椅子フレーム１１と第２椅子フレーム１２を開脚することにより、着座シート１３を展張させて着座できる。この状態では、着座した使用者のひざの間にザック１が位置しているので、ザック本体２の内部に収容した携行品の出し入れを、着座した状態のままで簡便に行える。また、図５に示すように、第１椅子フレーム１１と第２椅子フレーム１２を閉脚することにより、両椅子フレーム１１・１２をザック本体２の背面に沿って折りたたみ収納できる。この収納状態において、フレーム止め具５１の両弾性腕５２・５３を左右枠部２２・２８・２３・２９に係合することにより、ザック１を背中に担ぎ上げるとき、あるいは担いでいたザック１を背中から降ろすとき、両椅子フレーム１１・１２が開くのを確実に防止できる。したがって、身体のバランスを崩すこともなく、ザック１の担ぎ上げや担ぎ降ろしを安全に行える。
【００４１】
ザック１を背中に担いだ状態では、第１椅子フレーム１１の下枠部２１が腰に当たるため、長時間にわたってザック１を担ぐと腰を痛めるおそれがある。このような、腰に対するダメージを軽減するために、図１１に示すように、第１椅子フレーム１１と第２椅子フレーム１２の下枠部２１・２７のそれぞれを、ザック本体２側へ向かって凹弧状に凹ませて、下枠部２１の全体を腰に接触できるようにしている。また、図１０に示すように、第２椅子フレーム１２の下フレーム１５の下部を、ザック本体２の側へ向かってく字状に折り曲げている。この折り曲げられた部分を符号６４で示している。このように、折り曲げられた部分６４を設けることにより、第１椅子フレーム１１と第２椅子フレーム１２を閉じた状態において、第２椅子フレーム１２の下フレーム１５の下枠２７を、第１椅子フレーム１１の下フレーム１４の下枠部２１の周面に密着させて、折りたたみ椅子が嵩張るのを防止している。閉脚状態における第１椅子フレーム１１は、先の折り曲げられた部分６４を除く各枠部２０・２２・２３が、第２椅子フレーム１２の外郭線の内部に収容されるので、（図３、図４参照）、全体として椅子をコンパクトに折りたたんで嵩張るのを防止できる。
【００４２】
上記の実施例では、第１連結具３８をカラビナで構成したがその必要はなく、ザック等において多用されるサイドリリース型のバックルを利用して、第１連結具３８とすることができる。たとえば、サイドリリース型のバックルの雄型バックルを第１連結具３８とし、雌型バックルをストラップ支持体４１の遊端に固定しておく。また、必要があれば、第２連結具３９をサイドリリース型のバックルの雄型バックルで構成できる。その場合には、バックル５から分離した下部ストラップ３ｂに雌型バックルを装着できるので、縫着などの手間を省くことができる。さらに、第１連結具３８および第２連結具３９は、テープ状の面ファスナーで形成することができる。ストラップ支持体４１はベルトで形成する必要はなく、紐、ロープ、鎖、ホース、コードなどの屈曲可能な素材で形成することができる。
【００４３】
係止ベルト３４は補強ベルト３２と一体に形成する必要はなく、独立したパーツとして着座シート１３に固定することができる。補強ベルト３２は着座シート１３の複数箇所に設けることができる。シート窓３３は、溝状の開口で形成することができ、要は手提げストラップ４と係止ベルト３４が出入りできる開口であればよい。フレーム止め具５１は、左枠部２２・２８と、右枠部２３・２９のいずれか一方に設けてあれば足り、下フレーム１４・１５の側に設けてあってもよい。また、フレーム止め具５１は、テープ状の面ファスナーや、スナップファスナーを結合要素にして形成することができる。ザック１を背中に担いだ状態において、第１椅子フレーム１１の下枠部２１が腰に当たるのを防ぐために、第１椅子フレーム１１の左枠部２２および右枠部２３の下部の間に、広幅の腰受けベルトを緊張した状態で張り渡すことができる。その場合には、腰受けベルトが腰に当たるので、腰に作用する力をさらに効果的に分散することができる。接合座５５の外形は円形であってもよい。
【符号の説明】
【００４４】
２  ザック本体
３  ショルダーストラップ
４  手提げストラップ
１０  連結軸
１１  第１椅子フレーム
１２  第２椅子フレーム
１３  着座シート
３３  シート窓
３４  係止ベルト
３８  第１連結体
３９  第２連結体
４１  ストラップ支持体（支持ベルト）
４２  第１連結具（カラビナ）
４７  第２連結具（カラビナ）
【図１】
0003164949.tif 000003
【図２】
0003164949.tif 000004
【図３】
0003164949.tif 000005
【図４】
0003164949.tif 000006
【図５】
0003164949.tif 000007
【図６】
0003164949.tif 000008
【図７】
0003164949.tif 000009
【図８】
0003164949.tif 000010
【図９】
0003164949.tif 000011
【図１０】
0003164949.tif 000012
【図１１】
0003164949.tif 000013